(57)【特許請求の範囲】
【請求項１】
楽曲データに基づいて音楽を再生する音楽再生手段と、該手段によって再生される第１の音楽に合わせて、適応する映像表示と当該音楽に対応する歌詞表示を行う外部映像手段と、
前記再生中の第１の音楽の楽曲データとは異なる種類の第２の音楽の楽曲データを前記音楽再生手段とは別の音楽再生手段で再生可能な標準規格の楽曲データに変換する楽曲データ変換手段と、前記第１の音楽の再生中に前記標準規格の楽曲データを前記別の音楽再生手段によって再生させる再生制御手段とを設けたことを特徴とする音楽再生装置。
【請求項２】
前記楽曲データ変換手段の変換が音色の変換であることを特徴とする請求項１記載の音楽再生装置。
【請求項３】
請求項１又は２記載の音楽再生装置において、
前記再生制御手段に、前記別の音楽再生手段による再生開始前、前記別の音楽再生手段のメロディラインのチャンネルのマスターボリュームとベロシティとを最高値にセットする手段を設けたことを特徴とする音楽再生装置。
【請求項４】
請求項１又は２記載の音楽再生装置において、
前記再生制御手段に、前記別の音楽再生手段による再生開始前、前記別の音楽再生手段のメロディラインのチャンネルを再生時のメロディがはっきりと聞き取れる音色に変更する手段を設けたことを特徴とする音楽再生装置。
【請求項５】
請求項１又は２記載の音楽再生装置において、
前記再生制御手段に、前記別の音楽再生手段による再生時、前記楽曲データ中のマーカに基づくサビ部分から再生させる手段を設けたことを特徴とする音楽再生装置。
【請求項６】
請求項１又は２記載の音楽再生装置において、
前記再生制御手段に、前記別の音楽再生手段による再生時、前記別の音楽再生手段の再生テンポをメロディラインを確認できる範囲内で早める手段を設けたことを特徴とする音楽再生装置。
【請求項７】
請求項１又は２記載の音楽再生装置において、
前記再生制御手段に、前記別の音楽再生手段による再生時、前記別の音楽再生手段の各チャンネルの中からメロディラインの確認に必要な最低限のチャンネルのみを再生させる手段を設けたことを特徴とする音楽再生装置。
【発明の詳細な説明】
【０００１】
【発明の属する技術分野】
この発明は、パーソナルコンピュータ，カラオケ装置，通信カラオケ装置等の音楽再生装置に関する。
【０００２】
【従来の技術】
近年、ＭＩＤＩ等の楽曲データに基づいて音楽を再生し、使用者がその音楽に合わせて歌唱できるようにしたパーソナルコンピュータ，カラオケ装置，通信カラオケ装置等の音楽再生装置が多用されている。
【０００３】
例えば、カラオケ再生装置では、以前はカラオケ再生のみを行なう専用装置であったが、昨今は装置自体の小型化が進み、またＩＳＤＮ等の通信回線を介してセンタ装置から任意の曲データを配信する通信カラオケ装置が提供されるに到って、スナック等の小型店舗や家庭内でも使用されるようになった。
【０００４】
従来、カラオケで歌唱する前に、メロディラインが不確かな曲を別に再生し、その再生音楽をヘッドホンで聴取するメロディモニタと称する機能を備えた音楽再生装置が提案されている。この音楽再生装置は、本来のカラオケの再生部とは異なる回路で楽曲の再生を行なっている。
【０００５】
【発明が解決しようとする課題】
しかしながら、上述したような音楽再生装置では、本来のカラオケの再生部で再生する楽曲データが標準規格にのっとったＧＭ（Ｇｅｎｅｒａｌ  ＭＩＤＩ），ＧＳ等の音源に準拠して作られている楽曲データを再生する標準の音源であれば、その標準の音源でそのまま再生させることが可能であるが、標準規格以外の拡張させた音源専用に作成されている楽曲データの場合、その音源の独自のデータ構成になるため、標準音源では同じような音色や音調で再生できないという問題があった。
【０００６】
この発明は上記の点に鑑みてなされたものであり、標準規格以外の楽曲データに基づいて音楽を再生中に、標準規格の楽曲データに基づいて音楽を再生する音源を用いて標準規格以外の楽曲データを再生し、そのメロディラインを確認できるようにすることを目的とする。
【０００７】
【課題を解決するための手段】
この発明は上記の目的を達成するため、楽曲データに基づいて音楽を再生する音楽再生手段と、その手段によって再生される第１の音楽に合わせて、適応する映像表示と当該音楽に対応する歌詞表示を行う外部映像手段と、上記再生中の第１の音楽の楽曲データとは異なる種類の第２の音楽の楽曲データを上記音楽再生手段とは別の音楽再生手段で再生可能な標準規格の楽曲データに変換する楽曲データ変換手段と、上記第１の音楽の再生中に上記標準規格の楽曲データを上記別の音楽再生手段によって再生させる再生制御手段を設けたものである。
【０００８】
また、上記楽曲データ変換手段の変換を音色の変換にするとよい。
さらに、上記再生制御手段に、上記別の音楽再生手段による再生開始前、上記別の音楽再生手段のメロディラインのチャンネルのマスターボリュームとベロシティとを最高値にセットする手段を設けるとよい。
【０００９】
また、上記再生制御手段に、上記別の音楽再生手段による再生開始前、上記別の音楽再生手段のメロディラインのチャンネルを再生時のメロディがはっきりと聞き取れる音色に変更する手段を設けるとよい。
さらに、上記再生制御手段に、上記別の音楽再生手段による再生時、上記楽曲データ中のマーカに基づくサビ部分から再生させる手段を設けるとよい。
【００１０】
また、上記再生制御手段に、上記別の音楽再生手段による再生時、上記別の音楽再生手段の再生テンポをメロディラインを確認できる範囲内で早める手段を設けるとよい。
さらに、上記再生制御手段に、上記別の音楽再生手段による再生時、上記別の音楽再生手段の各チャンネルの中からメロディラインの確認に必要な最低限のチャンネルのみを再生させる手段を設けるとよい。
【００１１】
この発明の請求項１の音楽再生装置は、音楽再生手段が第１の楽曲データに基づいて音楽を再生し、その再生した音楽に合わせて外部映像手段によって再生された映像表示を行なうと共に上記音楽に対応する歌詞表示を行ない、その再生中の楽曲データとは異なる種類の楽曲データを標準規格の楽曲データに変換し、標準規格の楽曲データに基づいて音楽を再生する上記音楽再生手段とは別の音楽再生手段によって再生させるので、楽曲データそのものを変更しなくても、その楽曲データを用いて標準音源でメロディラインを確認することができるので、特殊な音源を用いる必要が無く、再生効率を向上させ、装置のコストダウンを図ることができる。
【００１２】
また、この発明の請求項２の音楽再生装置は、上記楽曲データ変換手段の変換を音色の変換にするので、楽曲データを標準規格の音源で再生したときにも本来の音色や音調と同じように再生することができる。
【００１３】
さらに、この発明の請求項３の音楽再生装置は、上記別の音楽再生手段による再生開始前、その別の音楽再生手段のメロディラインのチャンネルのマスターボリュームとベロシティを最高値にセットするので、メロディラインをはっきりと聞き取れる音量と速度で再生することができる。
【００１４】
また、この発明の請求項４の音楽再生装置は、上記別の音楽再生手段による再生開始前、その別の音楽再生手段のメロディラインのチャンネルを再生時のメロディがはっきりと聞き取れる音色に変更するので、メロディラインをはっきりと聞き取れる音色で再生することができる。
【００１５】
さらに、この発明の請求項５の音楽再生装置は、上記別の音楽再生手段による再生時、楽曲データ中のマーカに基づくサビ部分から再生させるので、楽曲の特徴を最も示している個所を再生することができる。
【００１６】
また、この発明の請求項６の音楽再生装置は、上記別の音楽再生手段による再生時、その別の音楽再生手段の再生テンポをメロディラインを確認できる範囲内で早めるので、短時間でメロディラインを確認させることができる。
【００１７】
さらに、この発明の請求項７の音楽再生装置は、上記別の音楽再生手段による再生時、その別の音楽再生手段の各チャンネルの中からメロディラインの確認に必要な最低限のチャンネルのみを再生させるので、再生時の処理負担を軽減し、上記別の音楽再生手段が安価な装置で済むので装置のコストダウンを図ることができる。
【００１８】
【発明の実施の形態】
以下、この発明の実施の形態を図面に基づいて具体的に説明する。
図２は、この発明の一実施形態である通信カラオケシステムの構成を示すブロック図である。
この通信カラオケシステムは、複数のカラオケ端末装置（通信カラオケ装置）１とホストコンピュータ２とが公衆電話網（ＰＳＴＮ），デジタル通信網（ＩＳＤＮ）等の通信網３を介してデータ通信可能に接続されている。
【００１９】
そのホストコンピュータ２は、電子音楽によるカラオケ曲の楽曲データ（例えば、ＭＩＤＩデータ）と、その楽曲データによって再生される音楽に対応する歌詞の文字情報である歌詞データと、その楽曲データによって再生される音楽に対応する映像を指定して選択する映像選択データと、拍手，歓声，及び鐘音等の効果音データ等からなる多数のカラオケデータを蓄積し、各カラオケ端末装置１に対して各カラオケデータを配信する。
【００２０】
一方、各カラオケ端末装置１は、ホストコンピュータ２から配信されたカラオケデータを蓄積し、使用者によって指定された音楽に対応するカラオケデータに基づいて再生した音楽と歌詞と映像を同期させて出力し、その音楽に対してマイク入力された音声をミキシングして出力し、利用者によるリモコン操作によって効果音を発生する。
【００２１】
次に、上記ホストコンピュータ２について説明する。
ホストコンピュータ２は、ＣＰＵ，ＲＯＭ，及びＲＡＭ等からなるマイクロコンピュータによって実現され、入力装置，表示装置，記憶装置，及び制御装置等からなる。
【００２２】
入力装置は、各種の操作情報を入力するキーボードやマウス等の入力手段であり、カラオケデータの蓄積，更新，及び配信と、各カラオケ端末装置１への配信管理等の処理時の操作情報を入力する。
表示装置は、ＬＣＤ，ＣＲＴ等のディスプレイであり、カラオケデータの蓄積，更新，及び配信と、各カラオケ端末装置１への配信管理等の処理時の作業画面や各種メッセージ等を表示する。
【００２３】
記憶装置は、ハードディスク装置，光ディスク装置等の大記憶容量のメモリであり、演奏データとその演奏データに対応する歌詞データとその演奏データに対応する映像を指定して選択する映像選択データと効果音データ等からなる多数のカラオケデータを蓄積するデータベースである。
【００２４】
制御装置は、このホストコンピュータ２の全体の制御を司り、記憶装置へのカラオケデータの蓄積と更新処理、各カラオケ端末装置１への通信網３を介したカラオケデータの配信処理、その配信時の各カラオケ端末装置１との通信網３を介した呼の設定及び解除、カラオケデータの符号化及び変調の処理、各カラオケ端末装置１から受信したデータの復調及び復号化の処理、各カラオケ端末装置１への配信管理処理等の各種処理を実行する。
【００２５】
次に、上記各カラオケ端末装置１について説明する。
図１は各カラオケ端末装置１の構成を示すブロック図である。
カラオケ端末装置１は、マイクロコンピュータによって実現され、リモコン装置１０，マイク１１，スピーカ１２，ミキシングアンプ１３，ヘッドホン１４，及びコマンダ１５等からなる。
【００２６】
リモコン装置１０は、使用者によるカラオケ音楽の選曲等の各種の操作情報を入力する操作キーを備え、選曲やカラオケ曲の再生を指定するカラオケモードや背景音楽の再生を指定するＢＧＭモードを入力し、キー入力された操作情報を赤外線等の信号によってコマンダ１５の操作表示部へ出力する入力手段である。
また、利用者が操作する効果音発生キーも備えている。
【００２７】
マイク１１は、使用者が発する歌唱時の声音を音声信号に変換してミキシングアンプ１３へ入力する音声入力装置である。
スピーカ１２は、ミキシングアンプ１３から出力される情報に基づいて音楽，音声，及び効果音を出力する。
【００２８】
ミキシングアンプ１３は、ボリューム等の各種の操作キーを備えており、コマンダ１５から出力される音楽信号を増幅してスピーカ１２によって出力すると共に、その音楽信号にマイク１１から入力された音声信号を増幅してミキシングして出力する処理と、音楽，音声，効果音のボリューム調節等の処理を行なう。
ヘッドホン１４は、カラオケ曲のメロディを確認するための再生音楽を聴取するための手段である。
【００２９】
コマンダ１５は、このカラオケ端末装置１の全体の制御を司ると共に、この発明に関わる各種の処理を実行する制御装置であり、ＣＰＵ１０１，ＲＯＭ１０２，ＲＡＭ１０３，操作表示部１０４，システム制御部１０５，歌詞表示制御部１０６，表示部１０７，通信制御部１０８，記憶部１０９，モデム１１０，回線制御部１１１，楽曲再生コントロール部１１２，別メロディ再生部１１３，音源再生部（ＭＩＤＩ音源）１１４，オーディオ出力部１１５等がバス１１６を介して接続されている。
【００３０】
ＣＰＵ１０１は、このコマンダ１５全体の制御を司り、ホストコンピュータ２からのカラオケデータの配信時の通信制御部１０８によるデータ通信制御と、記憶部１０９へのカラオケデータの蓄積と読み出し、リモコン装置１０又は操作表示部１０４から入力された操作情報に基づいて記憶部１０９から読み出したカラオケデータにより、音源再生部１１４によるカラオケ曲や背景音楽（ＢＧＭ）の楽曲の演奏，歌詞表示制御部１０６による背景映像の再生，歌詞の表示，歌詞の色替え出力等の各種の制御処理を実行する。
【００３１】
ＲＯＭ１０２は、ＣＰＵ１０１が各種の処理を実行するためのプログラムを格納した読み出し専用のメモリである。ＲＡＭ１０３は、ＣＰＵ１０１がＲＯＭ１０２のプログラムを実行するときに使用する作業エリアであり、各種の処理を実行するときのパラメータ等を記憶する書き込み読み出し可能なメモリである。
【００３２】
操作表示部１０４は、使用者による音楽の選曲等の各種の操作情報を入力する操作キーを備えた入力手段であり、選曲やカラオケ曲の再生を指定するカラオケモードや背景音楽の再生を指定するＢＧＭモードを入力し、リモコン装置１０から入力された操作情報を入力する制御も行なう。
システム制御部１０５は、この発明にかかわる別メロディ再生部１１３によるメロディ確認のための再生処理等を行なう。
【００３３】
歌詞表示制御部１０６は、カラオケデータ中の映像選択データに基づいて記憶部１０９から読み出した画像データに基づく背景映像を再生し、そのカラオケデータ中の歌詞データに基づく文字情報を曲の進行に合わせて色替えしながら背景映像に重ね合わせた（スーパーインポーズ）映像信号を表示部１０７へ出力して表示する処理を行なう。また、その映像信号に各種の加工を施して映像効果を付加する処理も行なう。
【００３４】
表示部１０７は、歌詞表示制御部１０６から出力される映像信号に基づいて映像及び歌詞を表示するＣＲＴ，ＬＣＤ等のディスプレイである。
通信制御部１０８は、通信網３を介したホストコンピュータ２との呼の設定及び開放等のデータ通信時の制御処理と、ホストコンピュータ２から配信されたカラオケデータの復調と復号化を行なって記憶部１０９へ出力し、通信網３を介してデータ送信するときのデータの符号化と変調の処理等も行なう。
【００３５】
記憶部１０９は、ハードディスク装置，光ディスク装置等の記憶装置であり、ホストコンピュータ２から配信されたカラオケデータを蓄積する。また、光ディスク等のリムーバブルなメディアに記録された映像の画像データの中からカラオケデータの映像選択データによって参照される各種の映像の画像データを読み出して歌詞表示制御部１０６へ出力する。
【００３６】
別メロディ再生部１１３は、標準規格の楽曲データに基づいてメロディ確認のための音楽を再生し、その再生音楽をヘッドホン１４へ出力する。
音源再生部１１４は、カラオケデータの楽曲データに基づいて複数の音色の音楽信号を生成するＭＩＤＩ音源ボード（音源装置）の再生回路を有し、その音源装置によって生成された音楽信号及び効果音信号をオーディオ出力部１１５を介してミキシングアンプ１３へ出力する処理と、その音楽信号及び効果音信号に対して各種の加工を施して音質等の各種の音響効果を付加する処理等を行なう。
【００３７】
また、カラオケ曲の再生時の複数種類の音色情報（ピアノ，ギター等の音色の音色プログラムチェンジナンバ）と、音量情報（ベロシティ）と、調情報（オリジナルキー）と共に、背景音楽用の楽曲のメロディラインの音色情報と、背景音楽用の音量情報と、背景音楽用の調情報を備えている。
【００３８】
楽曲再生コントロール部１１２は、背景音楽モード選択時の各種の音声再生処理と、背景音楽モード選択時の各種の歌詞表示処理を司る。
バス１１６は、上記各部間で各種のデータをやり取りする通信線である。
【００３９】
すなわち、上記システム制御部１０５等がそれぞれ、楽曲データに基づいて音楽を再生する音楽再生手段と、その手段によって再生される第１の音楽に合わせて、適応する映像表示と当該音楽に対応する歌詞表示を行う外部映像手段と、上記再生中の第１の音楽の楽曲データとは異なる種類の第２の音楽の楽曲データを上記音楽再生手段とは別の音楽再生手段で再生可能な標準規格の楽曲データに変換する楽曲データ変換手段と、上記第１の音楽の再生中に上記標準規格の楽曲データを上記別の音楽再生手段によって再生させる再生制御手段の機能を果たす。
【００４０】
また、上記楽曲データ変換手段の変換を音色の変換にするとよい。
さらに、上記別の音楽再生手段による再生開始前、上記別の音楽再生手段のメロディラインのチャンネルのマスターボリュームとベロシティとを最高値にセットする手段の機能を果たす。
【００４１】
また、上記別の音楽再生手段による再生開始前、上記別の音楽再生手段のメロディラインのチャンネルを再生時のメロディがはっきりと聞き取れる音色に変更する手段の機能を果たす。
さらに、上記別の音楽再生手段による再生時、上記楽曲データ中のマーカに基づくサビ部分から再生させる手段の機能を果たす。
【００４２】
また、上記別の音楽再生手段による再生時、上記別の音楽再生手段の再生テンポをメロディラインを確認できる範囲内で早める手段の機能を果たす。
さらに、上記別の音楽再生手段による再生時、上記別の音楽再生手段の各チャンネルの中からメロディラインの確認に必要な最低限のチャンネルのみを再生させる手段の機能を果たす。
【００４３】
次に、この通信カラオケシステムで使用されるカラオケデータについて説明する。カラオケデータは、１音楽についての楽曲データ，歌詞データ，映像選択データ，及び効果音データ等からなる。
楽曲データは、カラオケ端末装置１が備えている音源装置に対して指定した楽器や音色の音楽を出力させるＭＩＤＩのコードデータである。
【００４４】
歌詞データは、この音楽の歌詞の文字や記号等のコードデータである。
映像選択データは、カラオケ端末装置１の記憶部１０９に蓄積されている映像の画像データを選択、参照するコードデータである。
効果音データは、拍手，歓声，及び鐘音等の効果音声のＭＩＤＩのコードデータである。
【００４５】
次に、上記ＭＩＤＩデータについて簡単に説明する。
ＭＩＤＩデータは、電子楽器の制御信号及びインターフェース等の規格を定めたミュージカル・インスツルメント・デジタル・インターフェース規格（ＭＩＤＩ規格）によって規定された電子音楽再生用のデータである。
【００４６】
このデータは、演奏する楽器の種類である音色（これは、音色プログラムチェンジナンバーで定義されている）と、音符のノートオンとノートオフ，音の強弱，音質，音量（ベロシティ），ステレオ感を表現するコーラス，音の左右の広がりを表現するパンポット等を指定するコマンドとのコードデータからなる。
【００４７】
そして、音源装置がＭＩＤＩデータに基づいて各種の音色や音質等の音楽信号と効果音信号を生成し、アンプ及びスピーカを経て音楽及び効果音として出力する。
【００４８】
表１は、上記音源再生部１１４が参照する独自音源音色表の一例を示す表であり、通常の音源では用意されていない特殊な音色を追加している音源チップの各種音色をプログラムチェンジナンバで示している。
上記音源再生部１１４は、この独自音源音色表を格納し、上記楽曲データの再生時、この独自音源音色表を参照し、楽曲データ中のプログラムチェンジナンバで示される音色で音楽を再生する。
【００４９】
表２は、上記楽曲データの音色を上記別メロディ再生部１１３で再生可能な音色に変換するための音色変換テーブルの一例を示す表であり、予め記憶部１０９に登録されている。
システム制御部１０５は、この音色変換対応表を参照し、上記楽曲データ中のプログラムチェンジナンバで示される音色を標準規格の音色に変換し、別メロディ再生部１１３によって再生させる。
【００５０】
次にこの通信カラオケシステムにおけるデータ通信の処理について説明する。
図３は、ホストコンピュータ２からカラオケ端末装置１へカラオケデータを配信するときのデータ通信処理を示すフローチャートである。
ステップ（図中「Ｓ」で示す）１でリモコン装置等での曲番号の入力による楽曲リクエストがあると、ステップ２でリクエストされた曲番号のカラオケデータが装置内部に蓄積されているか否かを判断する。
【００５１】
ステップ２の判断で蓄積されていなければ、ステップ３でホストコンピュータへ発呼し、ステップ４で該当するカラオケデータをダウンロードし、ステップ５でダウンロードしたカラオケデータによって楽曲の再生及び演奏を実行して、リターンする。
【００５２】
ステップ２の判断でリクエストされた曲番号のカラオケデータが装置内部に蓄積されていれば、ステップ６で記憶部から該当するカラオケデータを読み込み、ステップ５で読み込んだカラオケデータによって楽曲の再生及び演奏を実行して、リターンする。
【００５３】
次に、このカラオケ端末装置１における別メロディ再生処理について説明する。図４は、その処理を示すフローチャートである。
システム制御部１０５は、ステップ１１で音色変換テーブルを読み出し、ステップ１２へ進んでユーザ入力に基づいて別メロディ再生か否かを判断する。
【００５４】
ステップ１２の判断でユーザ入力によって別メロディ再生処理が選択されて、別メロディ再生処理と判断すると、ステップ１３へ進んで指定されたカラオケ曲の楽曲データを読み出し、音色変換テーブルを参照して楽曲データ中の全ての独自音色を標準規格の音色に変換し、ステップ１４へ進んで別メロディ再生部によって曲再生を実行させる。
【００５５】
上記別メロディ再生部１１３の音源チップは標準規格のＧＭ音色をサポートしており、音源再生部１１４で使用する楽曲データ中の独自音色を、別メロディ再生部１１３の音源チップが再生可能な標準規格の音色に変換することにより、音源再生部１１４と略同じ音色で再生することができる。
【００５６】
このようにして、独自規格の楽曲データに基づくカラオケ音楽を、標準規格の楽曲データを再生する別メロディ再生部１１３によって曲の雰囲気をほとんど損なわずに再生し、利用者にカラオケ曲のメロディラインの確認を行なわせることができる。
【００５７】
次に、元々の楽曲データのメロディラインはカラオケ用に作成されているため、歌唱時の邪魔にならないように、メロディラインの旋律がはっきりと聞こえないような音量で再生されるように作られていることがある。
したがって、楽曲データの音色を変換しても、そのまま再生したのではメロディラインがはっきりと聞き取り難いこともある。
【００５８】
そこで、システム制御部１０５によって別メロディ再生部１１３の再生開始前、別メロディ再生部１１３に対してメロディラインのチャンネルのマスターボリュームとベロシティとを最高値にセットする。
【００５９】
図５は、別メロディの音量と速度を高めて再生するときの処理を示すフローチャートである。
システム制御部１０５は、ステップ２１で再生する楽曲データと音色変換テーブルを読み出し、ステップ２２へ進んでユーザ入力に基づいて別メロディ再生か否かを判断する。
【００６０】
ステップ２２でユーザ入力によって別メロディ再生処理が選択されて、別メロディ再生処理と判断すると、ステップ２３へ進んで指定されたカラオケ曲の楽曲データを読み出し、音色変換テーブルを参照して楽曲データ中の全ての独自音色を標準規格の音色に変換し、別メロディ再生部のメロディチャンネルのマスタボリュームとベロシティを最高値（例えば、１２７）にセットし、ステップ２４へ進んで別メロディ再生部によって曲再生を実行させる。
【００６１】
このようにして、別メロディの再生時、メロディラインのチャンネルの音量を調節するマスタボリュームとベロシティを最高値にセットしてから再生を開始するので、カラオケ曲がなっているうるさい中でも、ヘッドフォン１４による別メロディをはっきりと聞き取ることができる。
【００６２】
次に、元々の楽曲データのメロディラインはカラオケ用に作成されているため、歌唱時の邪魔にならないように、メロディラインの旋律がはっきりと聞こえないような音色で再生されるように作られていることがある。
したがって、楽曲データの音色を変換しても、そのまま再生したのではメロディラインがはっきりと聞き取り難いこともある。
【００６３】
そこで、システム制御部１０５によって別メロディ再生部１１３の再生開始前、別メロディ再生部１１３に対してメロディラインのチャンネルを再生時のメロディがはっきりと聞き取れる音色に変更する。
【００６４】
図６は、別メロディの音色をトランペットに変更して再生するときの処理を示すフローチャートである。
システム制御部１０５は、ステップ３１で再生する楽曲データと音色変換テーブルを読み出し、ステップ３２へ進んでユーザ入力に基づいて別メロディ再生か否かを判断する。
【００６５】
ステップ３２でユーザ入力によって別メロディ再生処理が選択されて、別メロディ再生処理と判断すると、ステップ３３へ進んで指定されたカラオケ曲の楽曲データを読み出し、音色変換テーブルを参照して楽曲データ中の全ての独自音色を標準規格の音色に変換し、別メロディ再生部のメロディチャンネルの音色をトランペット（プログラムチェンジナンバ“５７”）の音色に変更し、ステップ３４へ進んで別メロディ再生部によって曲再生を実行させる。
【００６６】
このようにして、別メロディの再生時、メロディラインのチャンネルの音色を旋律が聞き取りやすいトランペットの音色に変更してから再生を開始するので、カラオケ曲がなっているうるさい中でも、ヘッドフォン１４による別メロディをはっきりと聞き取ることができる。なお、変更する音色は他の楽器の音色にしてもよい。
【００６７】
次に、カラオケ曲の旋律を確認するだけなら、カラオケ曲の最初のフレーズから聴くよりも、サビの部分から聴くほうが旋律を素早く認識することができ、確認に要する時間を短縮することができる。
そこで、システム制御部１０５によって別メロディ再生部１１３の再生時、別メロディ再生部１１３に対して楽曲データ中のマーカに基づくサビ部分から再生させる。
【００６８】
図７は、別メロディの再生時にサビ部分から再生を開始するときの処理を示すフローチャートである。
システム制御部１０５は、ステップ４１で再生する楽曲データと音色変換テーブルを読み出し、ステップ４２へ進んでユーザ入力に基づいて別メロディ再生か否かを判断する。
【００６９】
ステップ４２でユーザ入力によって別メロディ再生処理が選択されて、別メロディ再生処理と判断すると、ステップ４３へ進んで指定されたカラオケ曲の楽曲データを読み出し、音色変換テーブルを参照して楽曲データ中の全ての独自音色を標準規格の音色に変換し、楽曲データ中のサビマーカを検索し、別メロディ再生部に対してサビマーカの部分から再生する準備を行ない、ステップ４４へ進んで別メロディ再生部によってサビ部分からの曲再生を実行させる。
【００７０】
図１０は、楽曲データ中のマーカの一例を示す図である。
楽曲データ中には各種のマーカが入っており、１コーラスで再生を終了させるための「１コーラスマーカ」、２コーラスで再生を終了させるための「２コーラスマーカ」、後奏をカットして再生を終了させるための「後奏マーカ」等の他に、曲中のサビ部分の開始位置を示す「サビマーカ」も埋め込まれている。
そこで、上記処理においては、このサビマーカの位置を検索し、その位置から再生させる。
【００７１】
このようにして、別メロディの再生時、サビ部分から再生を開始するので、素早くカラオケ曲の旋律を認識することができ、曲のイメージを短時間で確認することができる。
【００７２】
次に、上述の処理ではサビ部分から再生するようにしたが、旋律を確認するためならば通常の再生テンポよりも若干速めても容易に確認することができる。
そこで、システム制御部１０５によって別メロディ再生部１１３に対して再生時の再生テンポをメロディラインを確認できる範囲内で速めるようにする。
【００７３】
図８は、別メロディの再生時に再生テンポを速めて再生するときの処理を示すフローチャートである。
システム制御部１０５は、ステップ５１で再生する楽曲データと音色変換テーブルを読み出し、ステップ５２へ進んでユーザ入力に基づいて別メロディ再生か否かを判断する。
【００７４】
ステップ５２でユーザ入力によって別メロディ再生処理が選択されて、別メロディ再生処理と判断すると、ステップ５３へ進んで指定されたカラオケ曲の楽曲データを読み出し、音色変換テーブルを参照して楽曲データ中の全ての独自音色を標準規格の音色に変換し、別メロディ再生部に対して再生テンポを通常よりも若干（例えば、１０％ほど）速めるようにセットし、ステップ５４へ進んで別メロディ再生部によって曲再生を実行させる。
【００７５】
このようにして、別メロディの再生時に再生テンポを通常よりも１０％ほど速めて再生するので、さほど違和感無くメロディラインの確認を短時間で行なえる。
【００７６】
次に、通常の楽曲データは１６〜３２チャンネル（ｃｈ）の多チャンネル構成になっており、別メロディ再生部１１３に同じチャンネル数を再生させる再生シーケンサを設けるようにすると、装置コストが上昇してしまう。
ところで、通常の楽曲はチャンネルの下の方より重要なパートを割り振るように構成されているので、例えば、１〜１０ｃｈのメロディチャンネルのみを再生するだけでも容易に旋律の確認に使用できる。
【００７７】
そこで、システム制御部１０５によって、別メロディ再生部１１３の再生時、別メロディ再生部１１３に対して、各チャンネルの中からメロディラインの確認に必要な最低限のチャンネルのみを再生させるように設定する。
【００７８】
図９は、別メロディの再生時に１〜１０のメロディチャンネルのみを再生するときの処理を示すフローチャートである。
システム制御部１０５は、ステップ６１で再生する楽曲データと音色変換テーブルを読み出し、ステップ６２へ進んでユーザ入力に基づいて別メロディ再生か否かを判断する。
【００７９】
ステップ６２でユーザ入力によって別メロディ再生処理が選択されて、別メロディ再生処理と判断すると、ステップ６３へ進んで指定されたカラオケ曲の楽曲データを読み出し、音色変換テーブルを参照して楽曲データ中の全ての独自音色を標準規格の音色に変換し、別メロディ再生部に対して再生チャンネルを１〜１０ｃｈに限定して再生シーケンサにセットし、ステップ６４へ進んで別メロディ再生部によって曲再生を実行させる。
【００８０】
例えば、ＭＩＤＩデータでは、１６〜３２チャンネルを用いて作曲が行なわれているが、チャンネル１０がリズムチャンネルに割り当てられており、最初にチャンネル１０を再生し、後はチャンネルの低い１から順番に再生するようにしている。
【００８１】
そこで、１〜１０のチャンネルのチャンネルのみを再生しても、カラオケ曲の旋律を確認するには十分な音楽を出力することができる。したがって、少ないチャンネルの再生で済むので再生制御のソフトウェアの処理負担を軽減することができ、再生効率を向上させることができる。また、別メロディ再生部に設ける再生シーケンサを１〜１０のチャンネルの再生が可能なものにすれば良く、装置コストを低減することができる。
【００８２】
また、最近の楽曲データの高い方のチャンネルにはハモリ用のデータ等のメロディラインを表現するには余分なデータが含まれているので、それらのデータの再生を行なわないようにすることができ、より鮮明にメロディラインを確認することができる。
【００８３】
【表１】
0003637196.tif 000002
【００８４】
【表２】
0003637196.tif 000003
【００８５】
【発明の効果】
以上説明してきたように、この発明による音楽再生装置によれば、標準規格以外の楽曲データに基づいて音楽を再生中に、標準規格の楽曲データに基づいて音楽を再生する音源を用いて標準規格以外の楽曲データを再生し、そのメロディラインを確認することができる。
【図面の簡単な説明】
【図１】この通信カラオケシステムのカラオケ端末装置の構成を示すブロック図である。
【図２】この発明の一実施形態である通信カラオケシステムの構成を示すブロック図である。
【図３】図２に示したホストコンピュータからカラオケ端末装置へカラオケデータを配信するときのデータ通信処理を示すフローチャートである。
【図４】図１に示したカラオケ端末装置における別メロディ再生処理を示すフローチャートである。
【図５】図１に示したカラオケ端末装置における別メロディの音量と速度を高めて再生するときの処理を示すフローチャートである。
【図６】図１に示したカラオケ端末装置における別メロディの音色をトランペットに変更して再生するときの処理を示すフローチャートである。
【図７】図１に示したカラオケ端末装置における別メロディの再生時にサビ部分から再生を開始するときの処理を示すフローチャートである。
【図８】図１に示したカラオケ端末装置における別メロディの再生時に再生テンポを速めて再生するときの処理を示すフローチャートである。
【図９】図１に示したカラオケ端末装置における別メロディの再生時に１〜１０のメロディチャンネルのみを再生するときの処理を示すフローチャートである。
【図１０】図２に示した通信カラオケシステムで使用される楽曲データ中のマーカの一例を示す図である。
【符号の説明】
１：カラオケ端末装置      ２：ホストコンピュータ
３：通信網                １０：リモコン装置
１１：マイク              １２：スピーカ
１３：ミキシングアンプ    １４：ヘッドホン
１５：コマンダ            １０１：ＣＰＵ
１０２：ＲＯＭ            １０３：ＲＡＭ
１０４：操作表示部        １０５：システム制御部
１０６：歌詞表示制御部    １０７：表示部
１０８：通信制御部        １０９：記憶部
１１０：モデム            １１１：回線制御部
１１２：楽曲再生コントロール部
１１３：別メロディ再生部  １１４：音源再生部
１１５：オーディオ出力部  １１６：バス
【図１】
0003637196.tif 000004
【図２】
0003637196.tif 000005
【図３】
0003637196.tif 000006
【図４】
0003637196.tif 000007
【図５】
0003637196.tif 000008
【図６】
0003637196.tif 000009
【図７】
0003637196.tif 000010
【図８】
0003637196.tif 000011
【図９】
0003637196.tif 000012
【図１０】
0003637196.tif 000013